(57)【要約】      （修正有）【課題】従来の挿入感や振動刺激を与えるマッサージ器からは得られないような刺激を与えることが出来、また円周に沿うような方向への刺激（摺子木刺激）ではなく、これとは異なる新しい刺激を与えることが出来るようなマッサージ器を提供する。【解決手段】ケース１の長手方向に回転軸を向けるようにしてケース１の内部に納めたモータ２の当該回転軸がクランク状であり、このケースの先端部に首振り具をケースに対して首振り自在に設け、この首振り具の前記モータ２側の端部に前記クランク２３で押し得るような作用片を設けて成るものとした。ケース１の長手方向に回転軸２２を向けるようにしてケースの内部に納めたモータの当該回転軸２２にカムを取り付け、このケースの先端部分に首振り具をケースに対して首振り自在に設け、この首振り具の前記モータ２側の端部に前記カムの突出部で押し得るような作用片を設けて成るものとした。【選択図】図１
2008188401.tif 000002
【特許請求の範囲】
【請求項１】
ケースの長手方向に回転軸を向けるようにしてケースの内部に納めたモータの当該回転軸がクランク状であり、このケースの先端部に首振り具をケースに対して首振り自在に設け、この首振り具の前記モータ側の端部に、前記クランクで押し得るような作用片を設けて成る、首振り自在なマッサージ器。
【請求項２】
ケースの長手方向に回転軸を向けるようにしてケースの内部に納めたモータの当該回転軸にカムを取り付け、このケースの先端部に首振り具をケースに対して首振り自在に設け、この首振り具の前記モータ側の端部に、前記カムの突出部で押し得るような作用片を設けて成る、首振り自在なマッサージ器。
【請求項３】
前記ケースに前記首振り具が複数個設けられている、請求項１または請求項２に記載の首振り自在なマッサージ器。
【請求項４】
このマッサージ器にバイブレータが設けられている、請求項１または請求項２に記載の首振り自在なマッサージ器。
【請求項５】
前記首振り具に柔軟な素材から成るカバーが掛けられている、請求項１または請求項２に記載の首振り自在なマッサージ器。
【請求項６】
モータの回転軸に軸受けを設ける場合であって、前記カバーでこの軸受けを係止するように設けて成る、請求項５に記載の首振り自在なマッサージ器。
【発明の詳細な説明】
【技術分野】
【０００１】  この発明は主として先端部分の首振り運動によって新感覚の刺激を与えることが出来る、首振り具を備えた感覚鍛練具としてのマッサージ器に係り、特に腟のような器官に挿入してこれを内側から刺激するためのマッサージ器に関するものである。
【背景技術】
【０００２】  従来より、陰茎を模した形状の腟内に挿入するマッサージ器としては、（１）単なる棒状のものや（２）内部にバイブレータを内蔵するものなど様々なタイプのものが提案されている。また（３）腟内に挿入する柔軟な素材から成る挿入部とモータや電池やスイッチを納めたハンドル部とから成るものでは、前記モータの回転軸に延設された緩やかなカーブを有する回転杆が前記挿入部内にあり、前記モータの回転に伴なって回転杆が摺子木運動のような回転運動を行ない、これが挿入部にも摺子木運動のような回転を生じさせるように構成されている。【０００３】  なお前記バイブレータは一般的に偏心重錘を有するモータによって構成されているものであり、このモータに電池とスイッチとが接続されている。またあるものでは更に前記モータの動きを細かく制御するためのコントローラが接続されている。
【特許文献１】特表２００３−５１４６０８
【発明の開示】
【発明が解決しようとする課題】
【０００４】  しかしながら、上述した（１）のような単なる棒状のものでは挿入感しか与えることが出来ない。また（２）のような内部にバイブレータを内蔵するものでは振動刺激しか与えることが出来ない。また（３）のように腟内に挿入する柔軟な素材から成る挿入部と、モータや電池やスイッチを納めたハンドル部とから成るマッサージ器では、前記モータの回転方向への刺激を挿入部を通して腟内壁に伝えることが出来るのであるが、腟内壁に加えられる恰かも円周に沿うような方向の刺激（摺子木刺激）は今ではありふれたものであり、これだけでは不満足であり、新たな刺激を加え得るようなマッサージ器の出現が望まれている。【０００５】  そこでこの発明は、上述した挿入感や振動刺激のものからは得られないような刺激を与えることが出来、また円周に沿うような方向への刺激（摺子木刺激）ではなく、これとは異なる新しい刺激を与えることが出来るようなマッサージ器の提供を課題とする。
【課題を解決するための手段】
【０００６】  請求項１の発明では、ケースの長手方向に回転軸を向けるようにしてケースの内部に納めたモータの当該回転軸がクランク状であり、このケースの先端部に首振り具をケースに対して首振り自在に設け、この首振り具の前記モータ側の端部に、前記クランクで押し得るような作用片を設けて成るものとすることによって上記課題を解決している。なおクランク状とするのはモータそのものの回転軸であっても、モータの回転軸に延設された回転杆など（実質的にはモータの回転軸である）であっても良い。【０００７】  前記モータをＯＮ状態にすると、モータの回転軸と共にこのクランク状の部分が円を描くように回転する。このクランクには前記首振り具の作用片が近接しているため、この作用片をクランクで押すような動作が行われる。この際、元々首振り具はケースに対して首振り自在に設けられているから、作用片がクランクで押されることでケースの先端部の首振り具がケースに対して首振り動作を行う。この首振り動作は恰もワイパーのような往復運動である。このように先端部分の首振り運動はこれまでにない新感覚の刺激を与えて有効なマッサージ効果が得られる。【０００８】  請求項２の発明では、ケースの長手方向に回転軸を向けるようにしてケースの内部に納めたモータの当該回転軸にカムを取り付け、このケースの先端部分に首振り具をケースに対して首振り自在に設け、この首振り具の前記モータ側の端部に、前記カムの突出部で押し得るような作用片を設けて成るものとすることによって上記課題を解決している。【０００９】  そこで前記モータをＯＮ状態にすると、モータの回転軸に取り付けられているカムが回転し、このカムが作用し得るように設けられた作用片にカムが当ることによって作用片が動作し、ケースに対して首振り自在に設けられている首振り具が首振り動作を行う。この首振り動作は上述したように往復運動であって、腟内壁などに対して叩いたり押したりするような刺激を加えることが出来る。【００１０】  なお請求項１のマッサージ器に於いても請求項２のマッサージ器に於いても、前記ケースに前記首振り具が複数個設けられているものとしてもよい。すなわち１つのケースに付いて複数個の首振り具がケースの先端部で一斉に首振り運動を起こすのであり、これにより一層複雑な刺激を与えることが可能となり効果的なマッサージ効果を得ることが出来る。【００１１】  また請求項１のマッサージ器に於いても請求項２のマッサージ器に於いても、このマッサージ器にバイブレータが設けられているものとすることが出来る。このバイブレータとしては偏心重錘を有するモータに電池とスイッチとが接続されているものなどを例に上げることが出来る。この場合モータの回転によって偏心重錘が回転するが、偏心重錘であるが故に振動を発生するのである。これによればバイブレーション（振動刺激）を加えつつ、この発明の首振り運動によるマッサージ刺激を与えることが可能であり、２つの異なる刺激で相乗効果を上げることが出来るのである。【００１２】  なおこのマッサージ器本体から分岐する突出部を設けて、そこにバイブレータを納めた構成とすることが可能である。またこの突出部はこのマッサージ器本体とは別の身体部位をマッサ���ジする目的に使用し得るように構成することが可能である。【００１３】  また請求項１のマッサージ器に於いても請求項２のマッサージ器に於いても、前記首振り具に柔軟な素材から成るカバーが掛けられているものとすることが出来る。このカバーにはゴム素材のもの、プラスチック素材のもの、布素材のものなどで柔軟なものが任意に利用可能である。腟などの内壁に触れる首振り具が前記カバーで覆われているため当たりがソフトなものと成り、効果的なマッサージ作用が得られる。あるいは好みのカバーに交換し得るように、カバーを首振り具に対して着脱自在とするなどもよい。このような構成であるため腟などの内壁に対してはこのカバーの裏側から叩いたり押したりするような刺激を加えるようになる。従ってこのようなカバーを介しての当たりはソフトなものであり、やはり心地良いものである。【００１４】  なお請求項５の発明に於いて、モータの回転軸に軸受けを設ける場合に、前記カバーでこの軸受けを係止するように設けて成るものとすることが出来る。上述したようにモータの回転軸にはクランクやカムが設けられるため、これ等をブレることなく回転させるためにはモータの回転軸に軸受けを設ける方がより好ましくある。そこでこの軸受けをどこで支えるかであるが、前記カバーでこれを係止させて支える構成が可能である。この構成によればモータで軸受けを支える必要がなくなるため、この軸受けとモータとの間に更に別の機構を設けることが出来るようになる。
【発明の効果】
【００１５】  この発明は、腟のような器官に挿入してこれを内側から擦るための感覚鍛練具としてのマッサージ器のケースの先端部に、首振り運動を行なう首振り具が設けられているものとした。これによって従来のような摺子木運動のような回転運動による刺激ではなく、恰もワイパーのような往復運動による刺激、すなわち腟などの内壁に対して叩いたり押したりするような刺激を与えることが可能となり、新感覚を与え得るものとすることに成功している。
【発明を実施するための最良の形態】
【００１６】  第１実施形態
図１はこの発明の第１実施形態の、首振り具を備えた感覚鍛練具としてのマッサージ器の内部構成を表したものである。このものは腟のようなトンネル状の器官内に挿入可能な形状を呈しており、合成樹脂製のケース１の部分とその先方に設けられたラテックス製のカバー１０部分とから成る。ケース１には底部に図示しないコントローラ兼電池ボックスを取り付けることが出来る接続部９が設けられており、この接続部９より先方にはモータ２が納められている。このモータ２にギヤボックス２０が取り付けられており、ここで減速された回転運動が回転軸２２に伝えられるように構成されている。この回転軸２２には４層の支持盤３０によって支持されたボール３が３段に設けられており、各段にはボール３が回転軸２２の周りに６個ずつ、ボール３が支持盤３０の外縁部よりも僅かに外側に出るように配設されている。このボール３から先方が前記カバー１０で覆われており、支持盤３０の外縁部よりも出ているボール３の感触はこのカバー１０を通して膣内壁などに伝わるように為されている。更にその先方のカバー１０の内部では回転軸２２は軸受け２１によって軸支されていると共に、その先方で折り曲げられてクランク２３が形成されている。前記軸受け２１は、図３で表わされているように、その外周部の４回対称の位置に凹部がありここに前記カバー１０のこの部位の内側に設けた回転止め突起１１が入り込んでおり、回転軸２２の回転によっても軸受け２１が回転しないように為されている。なお上記で先方とは前記カバー１０の先端方向のことである。【００１７】  前記軸受け２１にはその両側に、先方に向けて軸受け２４が設けられており、この軸受け２４に首振り具４が回動軸４２を以て回動自在（首振り自在）に取り付けられている。回動軸４２は前記回転軸２２に対して直交する姿勢を取っている。またこの首振り具４の回動軸４２よりも後方には中空の箱体４０が形成されており、その後方に向けて開口部４１が設けられており、この開口部４１に前記クランク２３が挿入されている。図２で表わされているように、クランク２３が回転すると開口部４１の左右の縁部に当るように組付けられている。なお前記首振り具４には先端部が丸いゴム製の弾性頭部４３が取り付けられておりこの上が前記カバー１０の先端部で覆われて成る。従って首振り具４が首振り運動を行うとその動作はカバー１０の動きとなって現われる。【００１８】  前記ケース１の底部に設けられている接続部９にはモータ２のリード線が配線されている。この接続部９を介してコントローラ兼電池ボックスに配線されている。この図示しない電池ボックスには乾電池が収納されており、コントローラはモータ２の回転数を制御するための、すなわち後述するように首振り具の往復運動数を制御するためのスライダックを備えている。【００１９】  さてモータ２の回転運動はギヤボックス２０で減速されて回転軸２２に伝えられて、この回転運動が軸受け２１で軸支されたクランク２３に伝えられる。このクランク２３が回転すると、図２で表わされているようにクランク２３が首振り具４の箱体４０の開口部４１の縁部を押して行き、首振り具４は回動軸４２を軸として押された側の開口部４１の縁部とは逆方向に振れる。更にクランク２３が回転して反対側の開口部４１の縁部を押すと、首振り具４は先程とは逆の方向に振れる。従ってモータ２の回転運動が、クランク２３と首振り具４の開口部４１との組み合わせによって、直接首振り具４の首振り運動（往復運動）に変換されることになるのである。なおこの首振り具４の首振り運動の感触はカバー１０を通して膣内壁などに伝わるように為されている。この首振り運動は従来のような摺子木運動のような回転運動による刺激ではなく、腟などの内壁に対して叩いたり押したりするような新感覚の刺激となっている点に特徴を有する。【００２０】  なお上述のようにモータ２の回転運動が回転軸２２に伝えられると、この回転運動は４層の支持盤３０を引き起こし、これによって支持盤３０によって支持された３段のボール３が前記カバー１０の内側をカバー１０に外側に押すような力を加えつつ回転する。従ってカバー１０のこの部位が腟などの器官の内にあれば多数のボール１０が回転してうごめくような感触がカバー１０を通して膣内壁などに伝わることになる。このカバー１０の形状は任意であって、例えばこけし等の人形を模したものとすることが出来る。またこのカバー１０には蛇腹部などを設けて伸縮屈曲がより行ないやすいようにすることも可能である。【００２１】  なお第１実施形態では、モータ２の１つの回転軸２２が、１対のクランク２３と首振り具４との組み合わせによって、１つの首振り具４に往復運動を行わせるように構成されているが、複数対のクランク２３と首振り具４とを組み合わせ、１つの回転軸２２でこれ等複数個のクランク２３を回転させるように構成することによって、複数個の首振り具４に往復運動を行わせることが可能である。またこのマッサージ器にバイブレータを設けることも可能である。例えば前記首振り具４に後述する第３実施形態のモータ８周りの構成を採用するなどである。なお第１実施形態ではカバー１０を用いているが、これを不要として首振り具が直接的に膣内壁などに触れるものとして設計することが可能である。またボール３の構成は必須ではないが、第１実施形態ではモータ２の回転軸２２の運動を利用するものとしてこの構成が採用されている。【００２２】  第２実施形態
図４はこの発明の第２実施形態の感覚鍛練具としてのマッサージ器の首振り具６の動作状態を説明するものである。腟のようなトンネル状の器官に挿入可能な形状の合成樹脂製のケースの部分とその先方に設けられたラテックス製のカバー部分とから成る（図示せず）。ケースにはモータと乾電池とが収納されており、ケースの底部にスイッチ兼モータの回転数を制御するためのコントローラが取り付けられている（図示せず）。【００２３】  このモータにはギヤボックスが取り付けられており、ここで減速された回転運動が回転軸５に伝えられるように構成されている。更にその先方の前記カバーの内部では回転軸５は軸受けによって軸支されていると共に、その先端部分にカム５０が取り付けられている。図４で表わされているように前記カバーに設けられた図示しない軸受けには回動軸６１あり、ここに首振り具６が回動自在（首振り自在）に取り付けられている。回動軸６１は前記回転軸５に対して直交する姿勢を取っている。またこの首振り具６の回動軸６１よりも後方に、首振り具６より突出した２本の脚部６０が設けられており、この脚部６０の間に前記カム５０が位置しており、図４で表わされているように、カム５０が回転すると左右の脚部６０にカム５０が当るように組付けられている。なおこの首振り具６には図示しない先端部が丸いゴム製の弾性頭部が取り付けられており、この上が前記カバーの先端部で覆われて成る。このため首振り具６が首振り運動を行うとその動作はカバーの動きとなって外部に現われる。【００２４】  さてモータの回転運動はギヤボックスで減速されて回転軸５に伝えられ、この回転によってカム５０が回転すると、図４で表わされているように、カム５０が首振り具６の２本の脚部６０の一側を押して行き、首振り具６は回動軸６１を軸として押された側の脚部６０とは逆方向に振れる。更にカム５０が回転して他側の脚部６０を押すと、首振り具６は先程とは逆の方向に振れる。従ってモータの回転運動が、カム５０と首振り具６の脚部６０との組み合わせによって、直接首振り具６の首振り運動すなわち往復運動に変換されることになるのである。なおこの首振り具６の首振り運動の感触はカバーを通して膣内壁などに伝わるのであるが、この感触は従来のような摺子木運動のような回転運動による刺激ではなく腟などの内壁に対して叩いたり押したりするような新感覚の刺激である点に特徴を有する。【００２５】  第３実施形態
図３はこの発明の第３実施形態のマッサージ器の分岐部７０の模式図である。この実施形態の感覚鍛練具は上述した第１実施形態のマッサージ器に改良を加えたものである。【００２６】  すなわちケース７の側面部に、ここから分岐する分岐部７０が設けられている点に特徴を有する。この分岐部７０はこのマッサージ器本体とは別の身体部位をマッサージするために設けられている。さらに前記分岐部７０にはバイブレータが設けられている。すなわち分岐部７０内にはモータ８が納められており、このモータ８の回転軸８０に偏心重錘８１が取り付けられている。モータ８の配線先並びにスイッチなどの制御部には例えば上述したコントローラ兼電池ボックスを利用するなどすればよい。【００２７】  そこでモータ８をＯＮ状態にすると、偏心重錘８１がモータ８の回転する回転軸８０に偏って固定されているために振動を発する。この振動は直接的には分岐部７０を震えさせるが、ケース７側まで及ぶこともある。なおこのようなバイブレータはケース７側に設けることも、首振り具に設けることも可能である。
【産業上の利用可能性】
【００２８】  この発明のマッサージ器の首振り具は、腟などのトンネル状の器官の内壁以外にも、例えば背中などの皮膚表面を叩いたり押したりする目的のものとして使用したり構成することが可能である。また首振り具は縦と横との２つの往復運動を組み合わせたより複雑な運動を行うものとする構成も可能である。
【図面の簡単な説明】
【００２９】
【図１】  第１実施形態の内部構成図である。
【図２】  同実施形態の首振り具４の動作状態説明図である。
【図３】  同実施形態の軸受け２１の平面図である。
【図４】  第２実施形態の首振り具６の動作状態説明図である。
【図５】  第３実施形態の分岐部７０の模式図である。
【符号の説明】
【００３０】１    ケース
１０  カバー
１１  回転止め突起
２    モータ
２０  ギヤボックス
２１  軸受け
２２  回転軸
２３  クランク
２４  軸受け
３    ボール
３０  支持盤
４    首振り具
４０  箱体
４１  開口部
４２  回動軸
４３  弾性頭部
５    回転軸
５０  カム
６    首振り具
６０  脚部
６１  回動軸
７    ケース
７０  分岐部
８    モータ
８０  回転軸
８１  偏心重錘
９    接続部
【図１】
2008188401.tif 000003
【図２】
2008188401.tif 000004
【図３】
2008188401.tif 000005
【図４】
2008188401.tif 000006
【図５】
2008188401.tif 000007